【手続補正書】
【提出日】令和1年6月11日(2019.6.11)
【手続補正１】
【補正対象書類名】明細書
【補正対象項目名】０００７
【補正方法】変更
【補正の内容】
【０００７】
上記目的を達成するために、本発明の撮像装置は、ズーム機能を有するレンズ部と、画素のライン毎に順次露光を開始して順次読み出しを行う撮像素子と、前記撮像素子から出力された画像信号に基づき、画像情報を生成する信号処理手段と、前記信号処理手段により生成された画像情報をメモリ部に保持する記憶手段と、前記メモリ部に保持された前記画像情報に基づき、外部閃光による複数のフレームにまたがったフラッシュバンドの有無を検出する検出手段と、前記フラッシュバンドを有するフレームに対し、前記フラッシュバンドの補正を行う補正手段と、前記レンズ部のズーム状態を判断する判断手段と、を備え、前記補正手段は、前記判断手段が前記レンズ部に所定のズーム状態の変化が生じていると判断した場合、前記フラッシュバンドを有するフレームに対する前記フラッシュバンドの補正を行わないことを特徴とする。
上記目的を達成するために、本発明の他の撮像装置は、ズーム機能を有するレンズ部と、画素のライン毎に順次露光を開始して順次読み出しを行う撮像素子と、前記撮像素子から出力された画像信号に基づき、画像情報を生成する信号処理手段と、前記信号処理手段により生成された画像情報をメモリ部に保持する記憶手段と、前記メモリ部に保持された前記画像情報に基づき、外部閃光による複数のフレームにまたがったフラッシュバンドの有無を検出する検出手段と、前記フラッシュバンドを有するフレームに対し、前記フラッシュバンドの補正を行う補正手段と、を備え、前記レンズ部のズーム倍率の変化に伴う前記複数フレーム間における被写体のサイズの変化が第１の量である場合、前記補正手段は、前記フラッシュバンドを有するフレームに対する前記フラッシュバンドの補正を行わず、前記レンズ部のズーム倍率の変化に伴う前記複数フレーム間における被写体のサイズの変化が前記第１の量より小さな第２の量である場合、前記補正手段は、前記フラッシュバンドを有するフレームに対する前記フラッシュバンドの補正を行うことを特徴とする。
【手続補正２】
【補正対象書類名】特許請求の範囲
【補正対象項目名】全文
【補正方法】変更
【補正の内容】
【特許請求の範囲】
【請求項１】
ズーム機能を有するレンズ部と、
画素のライン毎に順次露光を開始して順次読み出しを行う撮像素子と、
前記撮像素子から出力された画像信号に基づき、画像情報を生成する信号処理手段と、
前記信号処理手段により生成された画像情報をメモリ部に保持する記憶手段と、
前記メモリ部に保持された前記画像情報に基づき、外部閃光による複数のフレームにまたがったフラッシュバンドの有無を検出する検出手段と、
前記フラッシュバンドを有するフレームに対し、前記フラッシュバンドの補正を行う補正手段と、
前記レンズ部のズーム状態を判断する判断手段と、を備え、
前記補正手段は、前記判断手段が前記レンズ部に所定のズーム状態の変化が生じていると判断した場合、前記フラッシュバンドを有するフレームに対する前記フラッシュバンドの補正を行わないことを特徴とする撮像装置。
【請求項２】
前記所定のズーム状態の変化は、前記レンズ部のズーム状態の変化に伴う前記複数のフレーム間での被写体のサイズの変化が閾値を超えることを含むことを特徴とする請求項１に記載の撮像装置。
【請求項３】
前記所定のズーム状態の変化は、少なくとも前記複数のフレーム間でのズームの変化率が第１の閾値より大きいことを含むことを特徴とする請求項１または２に記載の撮像装置。
【請求項４】
前記検出手段は前記複数のフレーム間のレベル差を検出し、
前記所定のズーム状態の変化は、少なくとも前記複数のフレーム間でのレベル差のばらつきが所定の閾値よりも大きいことを含むことを特徴とする請求項１乃至３のいずれか１項に記載の撮像装置。
【請求項５】
前記補正手段は、前記複数のフレーム間でのズームの変化率が第１の閾値より小さく、且つ第２の閾値よりも大きい場合、前記ズームの変化率に応じて前記フラッシュバンドを有するフレームに対する前記フラッシュバンドの補正を行うことを特徴とする請求項１乃至４のいずれか１項に記載の撮像装置。
【請求項６】
前記補正手段は、前記複数のフレーム間でのズームの変化率が第２の閾値よりも小さい場合、前記ズームの変化率によらずフレームを補正することを特徴とする請求項１乃至５のいずれか１項に記載の撮像装置。
【請求項７】
ズーム機能を有するレンズ部と、
画素のライン毎に順次露光を開始して順次読み出しを行う撮像素子と、
前記撮像素子から出力された画像信号に基づき、画像情報を生成する信号処理手段と、
前記信号処理手段により生成された画像情報をメモリ部に保持する記憶手段と、
前記メモリ部に保持された前記画像情報に基づき、外部閃光による複数のフレームにまたがったフラッシュバンドの有無を検出する検出手段と、
前記フラッシュバンドを有するフレームに対し、前記フラッシュバンドの補正を行う補正手段と、を備え、
前記レンズ部のズーム倍率の変化に伴う前記複数フレーム間における被写体のサイズの変化が第１の量である場合、前記補正手段は、前記フラッシュバンドを有するフレームに対する前記フラッシュバンドの補正を行わず、
前記レンズ部のズーム倍率の変化に伴う前記複数フレーム間における被写体のサイズの変化が前記第１の量より小さな第２の量である場合、前記補正手段は、前記フラッシュバンドを有するフレームに対する前記フラッシュバンドの補正を行うことを特徴とする撮像装置。
【請求項８】
前記補正手段は、前記フラッシュバンドが検出されたフレームに隣接するフレームの一部を合成することにより、前記フラッシュバンドの補正を行うことを特徴とする請求項１乃至７のいずれか１項に記載の撮像装置。
【請求項９】
前記補正手段は、前記フラッシュバンドが検出されたフレーム内のフラッシュバンド領域と、前記フラッシュバンドが検出されたフレームに隣接するフレーム内のフラッシュンバンド領域とを合成する、または前記フラッシュバンドが検出されたフレーム内のフラッシュバンドのない領域と、前記フラッシュバンドが検出されたフレームに隣接するフレーム内のフラッシュンバンドのない領域とを合成することで、前記フラッシュバンドの補正を行って輝度段差のない画像を得ることを特徴とする請求項８に記載の撮像装置。
【請求項１０】
ズーム機能を有するレンズ部と、画素のライン毎に順次露光を開始して順次読み出しを行う撮像素子と、を備える撮像装置の制御方法であって、
前記撮像素子から出力された画像信号に基づき、画像情報を生成する信号処理ステップと、
前記信号処理ステップで生成された画像情報をメモリ部に保持する記憶ステップと、
前記メモリ部に保持された前記画像情報に基づき、外部閃光による複数のフレームにまたがったフラッシュバンドの有無を検出する検出ステップと、
前記フラッシュバンドを有するフレームに対し、前記フラッシュバンドの補正を行う補正ステップと、
前記レンズ部のズーム状態を判断する判断ステップと、を備え、
前記判断ステップで前記レンズ部に所定のズーム状態の変化が生じていると判断された場合、前記補正ステップでの前記フラッシュバンドを有するフレームに対する前記フラッシュバンドの補正を行わないことを特徴とする撮像装置の制御方法。
【請求項１１】
ズーム機能を有するレンズ部と、画素のライン毎に順次露光を開始して順次読み出しを行う撮像素子と、を備える撮像装置の制御方法であって、
前記撮像素子から出力された画像信号に基づき、画像情報を生成する信号処理ステップと、
前記信号処理ステップで生成された画像情報をメモリ部に保持する記憶ステップと、
前記メモリ部に保持された前記画像情報に基づき、外部閃光による複数のフレームにまたがったフラッシュバンドの有無を検出する検出ステップと、
前記フラッシュバンドを有するフレームに対し、前記フラッシュバンドの補正を行う補正ステップと、を備え、
前記レンズ部のズーム倍率の変化に伴う前記複数フレーム間における被写体のサイズの変化が第１の量である場合、前記補正ステップでの前記フラッシュバンドを有するフレームに対する前記フラッシュバンドの補正を行わず、
前記レンズ部のズーム倍率の変化に伴う前記複数フレーム間における被写体のサイズの変化が前記第１の量より小さな第２の量である場合、前記補正ステップでの前記フラッシュバンドを有するフレームに対する前記フラッシュバンドの補正を行うことを特徴とする撮像装置の制御方法。
【請求項１２】
コンピュータを請求項１乃至９のいずれか１項に記載の撮像装置の各手段として機能させる、コンピュータが実行可能なプログラム。